【事件の表示】
　平成　３年特許願第３５２０４８号「情報記録再生装置」拒絶査定不服審判事件〔平成　５年　７月　２日出願公開、特開平　５−１６６３４７〕について、次のとおり審決する。
【結　論】
　本件審判の請求は、成り立たない。
【理　由】
１．手続の経緯・本願発明
　本件審判の請求にかかる特許出願（以下、「本願」という。）は、平成３年１２月１３日に出願されたものであって、平成１３年１２月１７日付け拒絶理由通知に対して、平成１４年２月２５日付けで意見書及び手続補正書が提出されたが、同年３月２０日付で拒絶査定がなされ、これに対して、平成１４年５月２日付けで拒絶査定不服の審判請求がなされるとともに、同年５月３１日付けで手続補正書が提出され、当審における平成１６年１２月１５日付け拒絶理由通知に対して、平成１７年３月４日付けで意見書及び手続補正書が提出されたものである。そして、本願の発明は、その手続補正書によって補正された明細書の特許請求の範囲の請求項１及び２に記載されたとおりのものであるところ、その請求項１に係る発明（以下、「本願発明」という。）は、次のとおりである。
　
「絶対アドレス情報を備え、音楽等の連続した主情報が複数記録される主情報領域と上記主情報毎の曲番号と記録開始位置及び記録終了位置等の管理情報が上記絶対アドレス情報に対応して示される管理情報領域とを有する記録媒体を用いた情報記録再生装置において、
　上記主情報は、所定長毎に書き換えを行うためのデータが付加されたユーザーデータで構成されるブロック単位で分割されて成り、
　上記記録媒体より読み出された上記管理情報を記憶する第１メモリ手段と、
　上記主情報領域への主情報の記録に伴って上記第１メモリ手段に記憶された上記管理情報を更新する管理情報更新手段と、
　上記記録媒体上の主情報の再配置指示を行う操作手段と、
　該操作手段による再配置指示の内容に従い、上記第１メモリ手段に記憶された上記管理情報に基づいて、上記主情報の再配置元ブロック位置と再配置先ブロック位置を求める演算手段と、
　上記記録媒体より再配置元ブロック位置に該当するブロックのデータを読み出して記憶する第２メモリ手段と、
　上記記録媒体より再配置先ブロック位置に該当するブロックのデータを読み出して上記第２メモリ手段に記憶するとともに該第２メモリ手段に記憶されている再配置元に該当するブロックのデータを読み出して上記記録媒体上の再配置先ブロック位置に記録し、再配置元ブロック位置と再配置先ブロック位置を更新する動作をブロック単位で繰り返して記録媒体上の複数の主情報を所定の再配置状態に並べ変える制御手段と、
　再配置を行った主情報に対応して第１メモリ手段に記憶された管理情報を更新する手段と、
　更新された第１メモリ手段上の管理情報を上記記録媒体の管理情報領域に記録する管理情報更新記録手段と、
　を備えたことを特徴とする情報記録再生装置。」
　
２．公知刊行物（引用例）に記載された発明
　これに対して、当審における拒絶の理由に引用された特開昭６３−２１７５８７号公報（以下、「引用例１」という。）及び実願昭６０−１５８４１０号（実開昭６２−６７３８６号）のマイクロフィルム（以下、「引用例２」という。）には、それぞれ、図面と共に次の事項が記載されている。
　
（引用例１）
　引用例１には、次の（１−１）〜（１−５）の事項が記載されている。
　
（１−１）「予め絶対アドレスを与えた記録可能ディスクにプログラム領域（当審注：「プログラク領域」は「プログラム領域」の誤記と認定した。以下同様。）とリードイン領域を設け、上記プログラム領域に演奏情報等のデータを記録するとともに、上記プログラム領域の記録内容を示す目録情報を上記リードイン領域に記録し、上記リードイン領域の目録情報に基づいて上記プログラム領域の再生を行うディスク記録再生装置において、
　上記リードイン領域から再生される目録情報を記憶する目録情報記憶手段と、
　上記目録情報記憶手段に記憶した目録情報の順番を任意に並べ換える並べ換え制御手段と、
　上記目録情報の順番を指定する操作入力手段と、
　順番を並べ換えた目録情報を上記目録情報記憶手段から読み出して記録可能ディスクのリードイン領域に再記録する記録記録手段と
　を設けたことを特徴とするディスク記録再生装置。」（特許請求の範囲）
　
（１−２）「Ｃ　従来の技術
　従来より、音声や楽音等のオーディオ信号をデジタル化して光ディスクに記録した所謂コンパクトディスク（ＣＤ）を再生するＣＤプレーヤ等の再生専用のディスクプレーヤ装置が一般に提供されている。上記コンパクトディスク（ＣＤ）では、オーディオ情報の記録されているプログラム領域の内側に設けられているリードイン領域に、そのディスクの記録内容を示す目録（ＴＯＣ：Ｔａｂｌｅ　ｏｆ　Ｃｏｎｔｅｎｔｓ）情報として、上記プログラム領域に記録されている全ての曲について順番に各曲目の開始時間を示すタイムコード、最初の曲目番号と最後の曲目番号、最終曲目が終了する時間等が記録されている。そして、ＣＤプレーヤは、上記コンパクトディスク（ＣＤ）のリードイン領域に記録されている目録情報を最初に再生して、この目録情報に基づいてプログラム領域から各曲目の演奏情報を曲目番号順に再生したり、プログラム再生を行うようになっている。
　また、従来のＣＤプレーヤは再生専用であることから、例えば情報の書き換え可能な光磁気記録媒体にて形成した光磁気ディスクを使用して、記録および再生が可能で上記コンパクトディスク（ＣＤ）に対して上位互換性を保つようなディスクシステムの開発が従来より進められている。
　上記ディスクシステムに用いられる記録可能ディスク１は、例えば第７図の模式図に示すように、予め深さλ／８（λは情報記録用レーザ光の波長である。）のプリグルーブ２がスパイラル状に形成されており、このプリグルーブ２の間のランド部３に円周方向に沿って深さλ／４のビットによる凹凸パターンから成るエンボス領域４と光磁気記録の行なわれるデータ記録領域５とがそれぞれ等ピッチで交互に配設されている。また、上記記録可能ディスク１は、演奏情報が記録されるプログラム領域６の内周側にリードイン領域７が設けてあり、上記プログラム領域６の記録内容を示す目録（ＴＯＣ）情報が上記リードイン領域７に記録されるようになっている。さらに、上記記録可能ディスク１のエンボス領域４には、コンパクトディスク（ＣＤ）において規格化された第８図に示す如きデータフォーマットの１フレームを構成する２４ビットの同期信号、１４ビット（１シンボル）のサブコードと１４×３２ビット（３２シンボル）の演奏情報等のデータおよびパリティと、各シンボルの間に設けたそれぞれ３ビットのマージンビットから成る５８８チャンネルビットのＥＦＭ（Ｅｉｇｈｔ　ｔｏ　Ｆｏｕｒｔｅｅｎ　Ｍｏｕｄｕｌａｔｉｏｎ）変調データのうち、上記同期信号とサブコードがエンボス加工により形成される凹凸パターンとして記録され、上記サブコードとして上記プログラム領域６の開始位置から絶対的な時間情報（絶対アドレス）が与えられている。
　そして、上記記録可能ディスク１を使用するディスクシステムでは、上記記録可能ディスク１のエンボス領域４から再生される上記絶対アドレスを利用して線速度一定（ＣＬＶ：Ｃｏｎｓｔａｎｔ　Ｌｅｎｅａｒ　Ｖｅｌｏｃｉｔｙ）でディスクの回転制御等を行い、コンパクトディスク（ＣＤ）において規格化されたデータフォーマットで情報の記録を行う。」（第２頁右上欄第３行〜第３頁左上欄第２行）
　
（１−３）「Ｄ　発明が解決しようとする問題点
　ところで、記録および再生が可能で上記コンパクトディスク（ＣＤ）に対して上位互換性を保つようなディスクシステムでは、記録可能ディスクのプログラム領域に全ての曲が連続して記録されるとは限らず、例えばある曲目と次の曲目との間に残っていた未記録領域に新たな曲目を記録したり、所謂重ね記録すなわち記録済の領域に新たな曲目を再記録する等の場合に、先に記録されている各曲目の順番が不明確になってしまう。
　そこで、本発明は、上述の如き問題点に鑑み、予め絶対アドレスを与えた記録可能ディスクにプログラム領域とリードイン領域を設け、上記プログラム領域に演奏情報等のデータを記録するとともに、上記プログラム領域の記録内容を示す目録情報を上記リードイン領域に記録し、上記リードイン領域の目録情報に基づいて上記プログラム領域の再生を行うディスク記録再生装置において、プログラム領域に記録した情報の再生順序を上記リードイン領域の目録情報により任意に指定できるようにすることを目的とし、上記リードイン領域の目録情報を再生して任意の順番に並べ換えて再記録する機能を備えた新規な構成のディスク記録再生装置を提供するものである。」（第３頁左上欄第４行〜同頁右上欄第７行）
　
（１−４）「Ｆ　作用
　本発明では、記録可能ディスクのリードイン領域から再生される目録情報を目録情報記憶手段に記憶し、操作入力手段にて指定される任意の順番に並べ換え制御手段により並べ換える。そして、順番を並べ換えた目録情報を上記目録情報記憶手段から読み出して記録可能ディスクのリードイン領域に再記録する。上記リードイン領域に再記録した目録情報は、プログラム領域に記録されている各データの新たな再生順序を示す。」（第３頁左下欄第７行〜同欄第１６行）
　
（１−５）「Ｇ　実施例
　以下に説明する実施例は、磁気光学効果を有する垂直磁化膜を記録媒体とする光磁気ディスクを上述の第７図に示した記録フォーマットの記録可能ディスク１として用いて、この記録可能ディスク１を線速度一定（ＣＬＶ：Ｃｏｎｓｔａｎｔ　Ｌｅｎｅａｒ　Ｖｅｌｏｃｉｔｙ）で回転駆動して、コンパクトディスク（ＣＤ）において規格化された上記第８図に示したデータフォーマットの演奏情報の記録再生を行うディスク記録再生装置に本発明を適用したものである。」（第３頁左下欄第１８行〜同頁右下欄第８行）
　
　したがって、これらの記載事項を、図面を参照して整理すると、引用例１には、「予め絶対アドレスを与えた記録可能ディスクにプログラム領域とリードイン領域を設け、上記プログラム領域に演奏情報等のデータを記録するとともに、上記プログラム領域の記録内容を示す目録（ＴＯＣ：Ｔａｂｌｅ　ｏｆ　Ｃｏｎｔｅｎｔｓ）情報として、上記プログラム領域に記録されている全ての曲について順番に各曲目の開始時間を示すタイムコード、最初の曲目番号と最後の曲目番号、最終曲目が終了する時間等を上記リードイン領域に記録し、上記リードイン領域の目録情報に基づいて上記プログラム領域の再生を行うディスク記録再生装置において、
　上記リードイン領域から再生される目録情報を記憶する目録情報記憶手段と、
　上記目録情報記憶手段に記憶した目録情報の順番を任意に並べ換える並べ換え制御手段と、
　上記目録情報の順番を指定する操作入力手段と、
　順番を並べ換えた目録情報を上記目録情報記憶手段から読み出して記録可能ディスクのリードイン領域に再記録する記録手段と
　を設けたことを特徴とするディスク記録再生装置。」の発明（以下、「引用発明」という。）が記載されている。
　
（引用例２）
　引用例２には、次の（２−１）〜（２−２）の事項が記載されている。
　
（２−１）「［産業上の利用分野］
　本考案は、情報信号をディスク記録媒体に記録再生するディスク記録再生装置に関する。」（明細書第２頁第１行〜同頁第３行）
　
（２−２）「以下、上述の第１図の磁気ディスク装置を用いて映像信号の編集操作を行う場合について説明する。第２図は編集操作前の磁気ディスク２上の各トラックを示す図、第３図は編集操作後の磁気ディスク２上の各トラックを示す図、第４図は編集操作の実施例である各実行ステップにおける磁気ディスク装置及びフィールドメモリに記憶されている映像を示す図である。
　いま、第２図に示すように、磁気ディスク２上の１番トラック２１、２番トラック２２、３番トラック２３及び４番トラック２４にそれぞれＡ，Ｂ，Ｃ，Ｄの１フィールド分の映像が記録されているとする。この４つの１フィールド分の映像が記録されている磁気ディスク２をそのまま用いて、第１図の磁気ディスク装置により第３図に示すように、磁気ディスク２上の１番トラック２１、２番トラック２２、３番トラック２３、及び４番トラック２４にそれぞれ、Ｃ，Ｄ，Ｂ，Ａの映像が記憶され、編集替えされる実行手順について第４図を参照して説明する。
　まず、ステップ１において、ステップ５ａ，５ｂを再生側に切り替えるとともに、スイッチ６をａ側に切り替え、磁気ディスク２上の１番トラック２１に記録されているＡの映像をフィールドメモリ１ａに記憶する。次にスイッチ６をｂ側に切り替え、３番トラック２３に記録されているＣの映像をフィールドメモリ１ｂに記憶する。
　次にステップ２において磁気ディスク２上の１番トラック２１に記録されている映像を消去し、スイッチ５ａ，５ｂを記録側に切り替えるとともに、スイッチ６をｂ側に切り替えフィールドメモリ１ｂに記憶されているＣの映像をこの１番トラック２１に記録した後、スイッチ５ａ，５ｂを再生側に切り替え、２番トラック２２に記録されているＢの映像をフィールドメモリ１ｂに記憶する。
　ステップ３において、磁気ディスク２上の３番トラック２３に記録されている映像を消去し、スイッチ５ａ，５ｂを記録側に切り替えるとともにスイッチ６をｂ側に切り替えフィールドメモリ１ｂに記憶されているＢの映像をこの３番トラック２３に記録する。次いで、スイッチ５ａ，５ｂを再生側に切り替え４番トラック２４に記録されているＤの映像をフィールドメモリ１ｂに記憶する。
　さらに、ステップ４において、磁気ディスク２上の２番トラック２２に記録されているＢの映像を消去し、スイッチ５ａ，５ｂを記録側に切り替えるとともにスイッチ６をｂ側に切り替え、フィールドメモリ１ｂに記憶されているＤの映像をこの２番トラック２２に記録する。次いで４番トラック２４に記録されているＤの映像を消去して、スイッチ５ａ，５ｂを記録側に切り替えるとともにスイッチ６をａ側に切り替え、フィールドメモリ１ａに記憶されているＡの映像をこの４番トラック２４に記録する。
　以上の操作により、第２図に示す磁気ディスク２上の各トラックに記録されている映像が、第３図に示すように編集替えされる。従って、２つのフィールドメモリ１ａ，１ｂを備えた磁気ディスク装置を用いて、磁気ディスク２上に記録されている映像について編集操作をすることができる。
　第４図に示した例においては、磁気ディスク２上の４つのトラックに記録されている４フィールド分の映像について、編集操作を行っているが、５フィールド分以上の映像についても編集操作は可能である。
　上述の実施例における磁気ディスク装置は２つのフィールドメモリ１ａ，１ｂを備えているが、３つ以上のフィールドメモリを補えることが可能である。
　なおこの考案は情報信号が所定単位で区分され、各単位毎にトラックに記録可能なものについては適用される。」（明細書第９頁第４行〜第１２頁第１５行）
　
３．対比
　本願発明と、引用発明とを対比する。
　
　両者は、次の（１）〜（７）の点で一致している。
　
（１）引用発明における「絶対アドレス」及び「曲目の開始時間を示すタイムコード」は、本願発明の「絶対アドレス情報」に相当する。
　
（２）引用発明における「演奏情報等のデータ」及び「プログラム領域」は、それぞれ、本願発明の「音楽等の連続した主情報」及び「主情報領域」に相当する。
　
（３）引用発明の「プログラム領域の記録内容を示す目録（ＴＯＣ：Ｔａｂｌｅ　ｏｆ　Ｃｏｎｔｅｎｔｓ）情報」は、本願発明の「管理情報」に相当し、また、引用発明において「プログラム領域の記録内容を示す目録（ＴＯＣ：Ｔａｂｌｅ　ｏｆ　Ｃｏｎｔｅｎｔｓ）情報として、上記プログラム領域に記録されている全ての曲について順番に各曲目の開始時間を示すタイムコード、最初の曲目番号と最後の曲目番号、最終曲目が終了する時間等」とすることは、本願発明において「主情報毎の曲番号と記録開始位置及び記録終了位置等の管理情報が上記絶対アドレス情報に対応して示される」ことに相当する。そして、引用発明における「リードイン領域」は、本願発明の「管理情報領域」に相当する。
　
（４）引用発明の「記録可能ディスク」は、本願発明の「記録媒体」に相当し、引用発明の「ディスク記録再生装置」は、本願発明の「情報記録再生装置」に相当する。
　
（５）引用発明の「リードイン領域から再生される目録情報を記憶する目録情報記憶手段」は、本願発明の「記録媒体より読み出された管理情報を記憶する第１メモリ手段」に相当する。
　
（６）引用発明の「目録情報記憶手段に記憶した目録情報の順番を任意に並べ換える並べ換え制御手段」は、「第１メモリ手段に記憶された管理情報を更新する」との点に限って、本願発明の「第１メモリ手段に記憶された管理情報を更新する管理情報更新手段」及び「第１メモリ手段に記憶された管理情報を更新する手段」に相当する。
　
（７）引用発明における「順番を並べ換えた目録情報を上記目録情報記憶手段から読み出して記録可能ディスクのリードイン領域に再記録する記録記録手段」は、本願発明の「更新された第１メモリ手段上の管理情報を上記記録媒体上の管理情報領域に記録する管理情報更新記録手段」に相当する。
　
　したがって、両者は、
「絶対アドレス情報を備え、音楽等の連続した主情報が複数記録される主情報領域と上記主情報毎の曲番号と記録開始位置及び記録終了位置等の管理情報が上記絶対アドレス情報に対応して示される管理情報領域とを有する記録媒体を用いた情報記録再生装置において、
　上記記録媒体より読み出された上記管理情報を記憶する第１メモリ手段と、
　上記第１メモリ手段に記憶された上記管理情報を更新する管理情報更新手段と、
　第１メモリ手段に記憶された管理情報を更新する手段と、
　更新された第１メモリ手段上の管理情報を上記記録媒体の管理情報領域に記録する管理情報更新記録手段と、
　を備えたことを特徴とする情報記録再生装置。」
である点で一致し、以下の（Ａ）〜（Ｅ）の点で相違する。
　
（Ａ）本願発明においては、「音楽等の連続した主情報」が、「所定長毎に書き換えを行うためのデータが付加されたユーザーデータで構成されるブロック単位で分割」されているのに対し、引用発明には、「演奏情報等のデータ」に、「書き換えを行うためのデータ」を付加し、「ブロック単位に分割」することが明確には示されていない点（以下、「相違点１」という。）。
　
（Ｂ）本願発明の「第１メモリ手段に記憶された管理情報を更新する管理情報更新手段」が、「主情報領域への主情報の記録」に伴って「管理情報」を更新しているのに対し、引用発明の「並べ換え制御手段」は、「目録情報（管理情報）」の順番を任意に並べ換える、即ち「更新」を行うものではあるが、この「更新」が、「主情報」の「記録」に伴うものであるとの事項が示されていない点（以下、「相違点２」という。）。
　
（Ｃ）本願発明の「第１メモリ手段に記憶された管理情報を更新する手段」が、「再配置を行った主情報」に対応して「管理情報」を更新しているのに対し、引用発明の「並べ換え制御手段」は、「目録情報（管理情報）」の順番を任意に並べ換える、即ち「更新」を行うものではあるが、この「更新」が、「再配置」を行った「主情報」に対応するものであるとの事項が示されていない点（以下、「相違点３」という。）。
　
（Ｄ）本願発明が、「記録媒体上の主情報の再配置指示を行う操作手段」を備えているのに対し、引用発明が、「目録情報の順番を指定する操作入力手段」は備えるものの、主情報の再配置指示を行う手段を備えていない点（以下、「相違点４」という。）。
　
（Ｅ）本願発明が、「操作手段による再配置指示の内容に従い、第１メモリ手段に記憶された管理情報に基づいて、主情報の再配置元ブロック位置と再配置先ブロック位置を求める演算手段」、「記録媒体より再配置元ブロック位置に該当するブロックのデータを読み出して記憶する第２メモリ手段」、及び「記録媒体より再配置先ブロック位置に該当するブロックのデータを読み出して第２メモリ手段に記憶するとともに該第２メモリ手段に記憶されている再配置元に該当するブロックのデータを読み出して記録媒体上の再配置ブロック位置に記録する動作をブロック単位で繰り返して記録媒体上の複数の主情報を所望の再配置状態に並べ変える制御手段」、これら各手段を具えているのに対し、引用発明には、この様な手段が示されていない点（以下、「相違点５」という。）。
　
４．当審の判断
（ａ）上記相違点１について
　引用例１には、「記録媒体」に記録される「データ」の「１フレーム」の「データフォーマット」が示されており（引用例１の記載事項上記（１−５）及び第８図参照）、引用発明における「演奏情報等のデータ」は、この「フレーム」単位に分割して記録されており、該「フレーム」の所定数を「ブロック」とすることに格別の困難性はない。また、本願発明において、「所定長毎に書き換えを行うためのデータが付加」されるのは、ＣＤの信号フォーマットを用いて情報の書き換えを行おうとすると、ＣＩＲＣによる非完結型インタリーブによって目的のセクタ位置の情報が実際のディスク上では前後のセクタに分散してしまうため、記録の開始点及び終了点で多数のデータ誤りが発生してしまい、このデータ誤りの発生を防止するためのものである（本願明細書段落【００１９】〜【００２０】参照）。書き換え時に発生するデータ誤りを防止するためのデータを付加することは、当該技術分野において周知の技術である。例えば、特開昭６３−１２７４６９号公報には、該データとして「ミューティングデータ」を付加することが示されており、該「ミューティングデータ」が、本願発明の「書き換えを行うためのデータ」に相当するものであり、該周知の技術を引用発明に適用し、相違点１とした本願発明の構成とすることに、格別の困難性はない。
　
（ｂ）上記相違点２について
　引用発明において、「リードイン領域」への「目録情報」の記録は、「プログラム領域」への「データ」の記録とともに行われるものであり（引用例１の記載事項上記（１−１）参照）、新たなデータが記録される際には、この記録に伴い「リードイン領域」の「目録情報」は更新され、これに伴い「目録情報記録手段」の「目録情報」も、当然更新されるものである。したがって、引用発明において、上記相違点２に示した「管理情報更新手段」を設けることに格別の困難性はない。
　
（ｃ）上記相違点３〜５について
　上記相違点３〜５に関する事項は、いずれも「主情報」の「再配置」に関するもので、要するに、本願発明においては、「記録媒体」に記録された音楽等の「主情報」自体の順序を並べ換えているのに対し、引用発明においては、「データ」自体の順序は変えずに、「目録情報」を更新することにより再生される「データ」の順序を並び換えるものである点にある。
　しかしながら、「主情報」自体を並べ換えようとする技術は、例えば、引用例２に、「記録媒体」に記録された「情報」を読み出して「メモリ」に記憶し、記憶された「情報」を「メモリ」から読み出し「記録媒体」の異なる位置に記録することにより、「記録媒体」上の「情報」の編集を行うことが記載されているように、当該技術分野において公知の技術である。
　また、「主情報」の並び換え手段は、適宜選択可能な事項であり、引用発明のものに、上記相違点３〜５に示した各手段を設けることに格別の困難性はない。
　更に、並び換えを行う「主情報」の単位については、上記「（ａ）上記相違点１について」で判断したように、引用発明における所定数の「フレーム」を「ブロック」とし、これを単位として並び換えを行うことに格別の困難性はない。
　
５．むすび
　以上のとおりであって、本願の請求項１に係る発明は、上記引用例１〜２及び周知の技術に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。